(57)【要約】      （修正有）【課題】インテグレーター、コリメーターレンズ、反射鏡を削除し、構造簡単で小型化が可能なソーラーシミュレーターを提供する。【解決手段】光源ランプ２および集光鏡３を有する光源部と、光源部からの光の通過と遮断を制御するシャッター４と、光源部からの光の分光分布を太陽光の分光分布に近似する分光分布補正フィルター５と、複数の光ファイバー９の束からなり、光を所定の場所に導く光ファイバー束導光部材６と、複数の光ファイバーレンズ８からなり、各光ファイバーレンズ８は各光ファイバー９に光伝達可能に結合され、入射端面から光ファイバー９の光を入射させて出射端面から平行光を出射するように焦点距離を調整されている、光ファイバーレンズ束７と、を有し、各光ファイバー９は、光ファイバーレンズ束７の出射光の放射照度が均一になるように、光量が異なるものが任意に配列可能に光ファイバーレンズ８に結合されている。【選択図】図１
2012094248.tif 000002
【特許請求の範囲】
【請求項１】
光源ランプと前記光源ランプが放射した光を集光する集光鏡とを有する光源部と、
前記光源部からの光を通過させ、あるいは遮断するシャッターと、
前記光源部からの光の分光分布を太陽光の分光分布に近似するように補正する分光分布補正フィルターと、
複数の光ファイバーの束からなり、前記分光分布補正フィルターを通過した光を入射端面から入射させて所定の場所に導く光ファイバー束導光部材と、
複数の光ファイバーレンズからなり、各光ファイバーレンズは前記光ファイバー束導光部材の各光ファイバーに光伝達可能に結合され、各光ファイバーレンズは入射端面から前記光ファイバーからの光を入射させて出射端面から平行光を出射するように焦点距離を調整されている、光ファイバーレンズと、を有し、
前記光ファイバー束導光部材の各光ファイバーは、前記光ファイバーレンズの出射光の照射面での放射照度が均一になるように、光量が異なる光ファイバーを任意に配列結合するように前記光ファイバーレンズの各光ファイバーレンズに結合されていることを特徴とするソーラーシミュレーター。
【請求項２】
前記光ファイバー束導光部材の入射端面は、前記集光鏡で反射された光の焦点の近傍よりも前記集光鏡に近い位置に配置されていることを特徴とする請求項１記載のソーラーシミュレーター。
【請求項３】
前記光ファイバー束導光部材と光ファイバーレンズとの結合において、個々の光ファイバーを任意の単一あるいは複数の光ファイバーレンズに結合させる格子状案内固定具を有する前記ソーラーシミュレーター。
【請求項４】
前記格子状案内固定具において、固定の位置を光ファイバーレンズ光軸方向に微調整する機能を有し、各光ファイバーごとに固定の位置を微調整して、放射照度分布を調整する機能を有するソーラーシミュレーター。
【発明の詳細な説明】
【技術分野】
【０００１】
本発明は、太陽電池の特性を測定するために、自然太陽光に近い擬似太陽光を生成し太陽電池に照射するソーラーシミュレーターに関する。
【０００２】
特に本発明は、従来の一般的ソーラーシミュレーターのインテグレーターおよびコリメーターレンズおよび反射鏡を不要とし、構造簡単であり且つ小型化が可能なソーラーシミュレーターに関する。
【背景技術】
【０００３】
一般に太陽電池は、製造工程において、意図通りの性能を発揮できるかを確認するために特性を測定する。
【０００４】
この太陽電池の特性の測定はソーラーシミュレーターと特性測定装置を用いて行われる。ソーラーシミュレーターは、自然太陽光の分光分布に近い光であり、自然太陽光の近似光、すなわちスペクトル分布が自然太陽光に近く、均一な放射照度分布と平行度の光（この光で放射照度が1kW/m2の光を「基準太陽光」という）を作り出して、太陽電池に照射する装置である。
【０００５】
図６は従来の一般的ソーラーシミュレーターの構成例を示している。
【０００６】
図６に示すように、従来の一般的ソーラーシミュレーター５０は、キセノンショートアークランプ５１と集光鏡５２と、第一反射鏡５３と、分光分布補正フィルター５４と、シャッター５５と、インテグレーター５６と、第二反射鏡５７と、コリメーターレンズ５８とを有している。
【０００７】
ソーラーシミュレーター５０は、基台５９を有し、基台５９の一部から立設された逆Ｌ字形のフレーム６０を有している。
【０００８】
基台５９の上方でキセノンショートアークランプ５１と集光鏡５２がフレーム６０によって支持されており、集光鏡５２の反射面は回転楕円面をなす。キセノンショートアークランプ５１の発光点は集光鏡５２の第一焦点の位置に配置されている。
【０００９】
集光鏡５２はキセノンショートアークランプ５１からの光を上方に反射して集光するように配設されている。
【００１０】
集光鏡５２から反射された光は第一反射鏡５３によって水平方向に向けられ、分光分布補正フィルター５４とシャッター５５とインテグレーター５６を通過する。
【００１１】
分光分布補正フィルター５４は、所望の分光分布を得るための適切な分光透過特性を有する光学フィルターである。
【００１２】
キセノンショートアークランプ５１の光は自然太陽光に比較的近い分光分布を有しているが、波長８００ｎｍより長い波長で自然太陽光よりかなり強いエネルギーの帯域を有しているため、分光分布補正フィルター５４により、キセノンショートアークランプ５１の光のうち８００ｎｍより長い波長の光を適切に減衰させることにより、キセノンショートアークランプ５１の光の分光分布を自然太陽光の分光分布に近似するように補正する。
【００１３】
シャッター５５は、分光分布補正フィルター５４を通過した光を、通過あるいは遮断する手段である。
【００１４】
一般に、太陽電池の特性は温度によって変化するため、光の照射によって太陽電池の温度が上昇するのを防止しなければならない。シャッター５５は、必要なとき以外は光を遮断し、被測定太陽電池の温度上昇を防止する。
【００１５】
分光分布補正フィルター５４とシャッター５５を通過した光は、インテグレーター５６に入射する。
【００１６】
インテグレーター５６は、通例溶融石英ガラス等で構成され、図１０に示すように格子状に配置された凸レンズ群をなしており、各々の独立したレンズが全体で多光軸レンズプロジェクターとして機能することで、1つの光源を多光源化し、放射照度を均一化する。
【００１７】
凸レンズ群は、正面（光軸方向）から見た場合は各単一レンズが六角形や正方形の形状を有し、ハニカム状や格子状を形成する。
【００１８】
インテグレーター５６は、シャッター５５が開の時、分光分布補正フィルター５４を通過してインテグレーター５６の各レンズに入射した光を集光結像する。その実像は個々のレンズ中心軸よりずれて結像面上で結像するため、図１１に示すように分散的に実像が多光源化され、コリメーターレンズで全体として平行光化することで重畳されるため、放射照度が均一化されるように作用する。
【００１９】
一般に集光鏡５２によって集光された光は、光軸垂直面での強度分布において中心部分が周辺の部分に比べて強くなりがちで、必要に応じてインテグレーター５６の中心部分に減光板を配置し、放射照度の場所むらを調整する方式もある。
【００２０】
インテグレーター５６によって多光源化された光は第二反射鏡５７で反射され、下方へ向けられる（図６参照）。
【００２１】
コリメーターレンズ５８は、第二反射鏡５８で反射された多光源化光を、焦点面上の多光源として平行化して、基台５９上に配置された被測定太陽電池６１に照射する。
【００２２】
以上のようにして、被測定太陽電池６１に規格に合った擬似太陽光が照射され、被測定太陽電池６１の特性を測定することができる。
【００２３】
なお、外部へ光が出るのを防止するため、キセノンショートアークランプ５１からコリメーターレンズ５８までの光路部分は図示しない遮光部材によって覆われている。
【先行技術文献】
【特許文献】
【００２４】
【特許文献１】特開２００９−１０３５３５号公報
【特許文献２】特開２００８−３００６３２号公報
【特許文献３】特開２００８−１２３９５１号公報
【発明の概要】
【発明が解決しようとする課題】
【００２５】
上記のように従来の一般的ソーラーシミュレーターは、インテグレーターを有し、照射光の放射照度を均一化していた。
【００２６】
インテグレーターは、上述したように、通例溶融石英ガラス等で構成され、ハニカム構造や格子構造のレンズを形成していた。従来のインテグレーターにより光の均一の度合いを向上させるためには、より小断面積のレンズを形成しなければならず、技術的・コスト的に限界があり、したがってインテグレーターによる光の放射照度の均一化には限界があった。
【００２７】
インテグレーターは原理的に多数の小断面積のレンズを形成しなければならないため、高価であり、ソーラーシミュレーター全体の高価格化要因となっていた。
【００２８】
従来の一般的ソーラーシミュレーターでは、集光鏡からインテグレーターまでの長い光路が必要になり、この長い光路をソーラーシミュレーター内に納めるために第一反射鏡を設けているが、反射鏡や屈折した光路を納める必要上ソーラーシミュレーターの装置が大型化していた。
【００２９】
また、近年の太陽電池は大面積化し、コリメーターレンズが大きな直径を有するようになり、この大口径のコリメーターレンズに光を当てるために、インテグレーターとコリメーターレンズの間の距離を長くしなければならない。
【００３０】
このため、従来のソーラーシミュレーターでは、インテグレーターとコリメーターレンズまでの長い光路をソーラーシミュレーター内に納めるために第二反射鏡を設ける必要があった。しかし同様に、反射鏡や集光した光路を納める必要上ソーラーシミュレーターの装置が大型化していた。
【００３１】
上述した広い面積に擬似太陽光を照射するために、最近ではコリメーターレンズ径が３５０ｍｍ超となり、これに伴ってレンズ中心部の厚さが１５０ｍｍ超に達するようになった。このため、コリメーターレンズの寸法のみならず重量も増大し、高価格化している。
【００３２】
コリメーターレンズは光を平行光化するが、平行度を上げるには、コリメーターレンズとインテグレーターの間の距離を十分大きくとらなければならない。このことも装置の大型化をもたらしている。
【００３３】
従来のソーラーシミュレーターは、インテグレーター、コリメーターレンズ、反射鏡に埃等が付着することが避けられず、定期的なメンテナンスが必要である。特に、反射鏡、インテグレーター、コリメーターレンズの交換においては、キセノンショートアークランプの取り外し、光軸の再調整などの作業が発生し、メンテナンス作業が繁雑である。
【００３４】
そこで、本発明が解決しようとする課題は、上記従来のソーラーシミュレーターの問題を解決し、インテグレーター、コリメーターレンズ、反射鏡を削除し、構造簡単で小型化が可能なソーラーシミュレーターを提供することにある。
【課題を解決するための手段】
【００３５】
本発明によるソーラーシミュレーターは、
光源ランプと前記光源ランプ放射光を集光する集光鏡とを有する光源部と、
前記光源部からの光を通過させ、あるいは遮断させるシャッターと、
前記光源部からの光の分光分布を太陽光の分光分布に近似するように補正する分光分布補正フィルターと、
光ファイバーの束からなり、前記分光分布補正フィルターを通過した光を入射端面から入射させて所定の場所に導く光ファイバー束導光部材と、
複数の光ファイバーレンズからなり、各光ファイバーレンズは前記光ファイバー束導光部材の各光ファイバーに光伝達可能に結合され、各光ファイバーレンズは入射端面から前記光ファイバーの光を入射させて出射端面から平行光を放射するように焦点距離を調整されている光ファイバーレンズと、を有し、
前記光ファイバー束導光部材の各光ファイバーは、前記光ファイバーレンズの出射光の照射面での放射照度が均一になるように、光量が異なる光ファイバーが任意に配列されるように前記光ファイバーレンズの各光ファイバーレンズに結合されていることを特徴とする。
【００３６】
本発明によるソーラーシミュレーターは、前記光ファイバー束導光部材と各光ファイバーレンズとの結合において、個々の光ファイバーを任意の単一あるいは複数の光ファイバーレンズに結合させる格子状案内固定具を持ち、さらに前記格子状案内固定具において、固定の位置を光ファイバーレンズ光軸方向に微調整する機能を有し、放射照度を部分的に微調整する機能を有する。
【００３７】
前記光ファイバー束導光部材の入射端面は、前記集光鏡で反射された光の焦点の近傍よりも前記集光鏡に近い位置に配置されているようにすることができる。
【発明の効果】
【００３８】
本発明によれば、光ファイバー束からなり、分光分布補正フィルターを通過した光を入射端面から入射させて所定の場所に導く光ファイバー束導光部材を使用している。
【００３９】
光ファイバー束導光部材は、光ファイバーにより、反射鏡を用いることなく任意の場所に光を導くことができる。
【００４０】
このため、従来の反射鏡を不要化することができ、装置の小型化を図ることができる。
【００４１】
また、本発明は、光ファイバー束導光部材の各光ファイバーが、光ファイバーレンズの出射光の放射照度が均一になるように、光の量が異なる光ファイバーが混在するように光ファイバーレンズの各光ファイバーレンズに結合されていることにより、従来のインテグレーターを用いることなく、照射部位の放射照度を均一化することができる。このため、高価なインテグレーターを不要化でき、ソーラーシミュレーターの製造費を低減することができる。
【００４２】
また、本発明は、複数の光ファイバーレンズを有している。各光ファイバーレンズは、光ファイバー束導光部材の各光ファイバーに光伝達可能に結合され、入射端面から光ファイバーの光を入射させて出射端面から平行光を放射するように焦点距離を調整されている。
【００４３】
すなわち、本発明の光ファイバーレンズは光ファイバー束導光部材の各光ファイバーの光を平行光にすることができるため、従来のコリメーターレンズを不要にすることができる。
【００４４】
また、本発明の光ファイバーレンズは複数の光ファイバーレンズからなるため、平行光を照射する面積が大口径化する場合も光ファイバーレンズの数を増加させるだけで対応でき、中心部分が径に応じて厚くなることがない。
【００４５】
このため、従来技術におけるコリメーターレンズの大口径化による重量の増大を回避することができる。
【００４６】
また、光ファイバーレンズは、その端面から平行な光を出射させる場合、端面から短い距離に焦点を設けることができ、光ファイバー長を短くすることも可能である。また、従来のインテグレーターと比較して多数のレンズで構成されるため、平面分布均一化が容易に達成できる。このため、本発明によれば、光ファイバーレンズと被測定太陽電池の間の距離を短くすることができ、これによってソーラーシミュレーターの装置全体を小型化することができる。
【００４７】
反射鏡を不要にすると、光の放射照度の減衰が少なくなり、キセノンショートアークランプに印加する電力を小さくすることができ、キセノンショートアークランプの寿命を長くすることができる。
【００４８】
本発明によれば、インテグレーター、コリメーターレンズ、反射鏡を不要にすることができ、反射鏡の交換、光軸の再調整などの作業が発生せず、メンテナンスが容易なソーラーシミュレーターを得ることができる。
【図面の簡単な説明】
【００４９】
【図１】本発明の一実施形態によるソーラーシミュレーターの構成概念図。
【図２】光ファイバーおよび光ファイバーレンズの結合の縦断面図。
【図３】光ファイバーレンズの原理の説明図。
【図４】光ファイバーレンズの放射照度平面分布を均一化する光ファイバー束導光部材の光ファイバーと光ファイバーレンズとの結合方法を説明した図。
【図５】本発明の他の実施形態によるソーラーシミュレーターの構成図。
【図６】従来のソーラーシミュレーターの構成図。
【図７】本発明の光ファイバー束導光部材と各光ファイバーレンズとの結合の構成図。
【図８】本発明の格子状案内固定具の詳細図。
【図９】本発明の格子状案内固定具のメスねじガイドと光ファイバー光軸距離調整用ねじの斜視図。
【図１０】従来のインテグレーター例の構成図。
【図１１】従来のインテグレーター例の原理図。
【発明を実施するための形態】
【００５０】
以下本発明の実施形態について説明する。
【００５１】
図１は、本発明の一実施形態によるソーラーシミュレーターの構成を示している。
【００５２】
図１に示すように、本実施形態のソーラーシミュレーター１は、キセノンショートアークランプ（光源ランプ）２と、集光鏡３と、シャッター４と、分光分布補正フィルター５と、光ファイバー束導光部材６と、光ファイバーレンズ束７とを有している。
【００５３】
集光鏡３は、回転楕円面をなし、内面が反射面になっており、キセノンショートアークランプ２発光部は集光鏡３の回転楕円の第一焦点の位置に配置されている。
【００５４】
シャッター４は、光を通過あるいは遮断することができる手段である。シャッター４は、光の照射によって測定対象の太陽電池の温度が上昇するのを最小限にするため、必要なとき以外は光を遮断する。太陽電池の特性の測定に必要最小限の時間のみ光を照射する。
【００５５】
分光分布補正フィルター５は、所定の波長の光を減衰する手段である。
【００５６】
なお、シャッター４と分光分布補正フィルター５は、シャッター４、分光分布補正フィルター５の順番に限られることなく、分光分布補正フィルター５、シャッター４の順番でもよい。
【００５７】
光ファイバー束導光部材６は、多数の光ファイバーからなり、シャッター４と分光分布補正フィルター５を通過した光を入射端面６ａから入射させて所定の場所に導く機能を有する。
【００５８】
光ファイバーレンズ８は、光ファイバー束導光部材６の各光ファイバー９に光伝達可能に結合されている。
【００５９】
図２は、光ファイバーレンズ束７と光ファイバー束導光部材６の結合部の縦断面図を示している。
【００６０】
図２に示すように、光ファイバー束導光部材６は複数の光ファイバー９を有し、光ファイバー９は光ファイバー束導光部材６の端部で散開されている。各光ファイバー９の末端は、光ファイバーレンズ束７の各光ファイバーレンズ８に光伝達可能に結合されている。
【００６１】
なお、図２は光ファイバー９と光ファイバーレンズ８の「光伝達可能」な結合を概念的に示したものである。
【００６２】
光ファイバーレンズ束７は光ファイバー９からの光を平行光化し、照射面１０に照射する。
【００６３】
すなわち、光ファイバーレンズ束７は、ファイバー９の末端から出た光を平行化する機能を有する。この光ファイバーレンズ束７による光の平行化と均一化の方法について以下に図３，４を用いて説明する。
【００６４】
図３は、光ファイバーレンズによる光の平行化の機能を説明した図である。
【００６５】
光ファイバーレンズ８は、屈折率が中心線上でもっとも高く、周辺にいくほど屈折率が低い放物線上の分布になっている。このため、光ファイバーレンズ８の内部の光線はピッチ長Ｐを周期とする正弦波状に進み、長さＰ／２ごとに結像を繰り返す。
【００６６】
図３に示すように、光ファイバーレンズ８はレンズ長Ｌを変えることによって焦点距離を変えることができ、適当なレンズ長Ｌをとることによって光ファイバー９の末端から出射された光を平行光化して照射面１０に照射することができる。
【００６７】
そこで、本発明の光ファイバーレンズ８は、光ファイバー９の末端から出射された光が平行光化されるように、焦点位置を調整する。
【００６８】
次に、図４は、光ファイバーレンズ束７による光の均一化の機能を説明した図である。
【００６９】
本発明においては、光ファイバー束導光部材６から散開された光ファイバー９について、光ファイバーレンズ束７の出射光の照射面での放射照度が均一になるように、たとえば図４に示すように、光量が異なる光ファイバー９を任意に配列するように光ファイバーレンズ束７の各光ファイバーレンズ８に光ファイバー９を結合する。
【００７０】
なお、光量が異なる光ファイバー９の任意配列の方法は、光ファイバーレンズ束７の照射光の放射照度が均一になる限り、図４に示された配列に限られない。
【００７１】
以上のように、本発明の構成によれば、光ファイバーレンズ束７の各光ファイバーレンズ８と光ファイバー束導光部材６の各光ファイバー９の結合方法によって、光ファイバーレンズ束７から平行かつ平面分布強度が均一に近い光を照射面１０に照射できる。
【００７２】
このため、従来のレンズ構造のインテグレーターを不要とすることができ、廉価かつ構造簡単なソーラーシミュレーターを得ることができる。
【００７３】
また、本発明の光ファイバーレンズ束７の各光ファイバーレンズ８の焦点距離を調整することにより、光ファイバー９から出射された光を平行光化することができる。
【００７４】
これにより、従来必要であったコリメーターレンズを不要とすることができ、廉価かつ構造簡単なソーラーシミュレーターを得ることができる。
【００７５】
さらに、従来のコリメーターレンズは擬似太陽光の照射面積が大きい場合には、大口径化するとともに厚肉化し、重量と価格を増大させる原因となっていた。
【００７６】
これに対して、本発明の光ファイバーレンズ束７は、光ファイバーレンズ８を柱状に構成しているため、擬似太陽光の照射面積が大きい場合でも、光ファイバーレンズ８の数を増加させるだけでよく、凸レンズのように厚肉化させることがない。
【００７７】
これにより、重量や価格の増大を抑えて、照射面積が大きいソーラーシミュレーターを得ることができる。
【００７８】
また、図１に関して説明したように、本発明によれば、反射鏡を不要とすることができるとともに、集光鏡３と光ファイバー束導光部材６の間の距離を短くすることができ、ソーラーシミュレーター１の小型化を図ることができる。
【００７９】
本発明によれば、光ファイバーレンズ８の数を増やすことにより、大面積に対応できる。
【００８０】
以上のように、本実施形態のソーラーシミュレーター１によれば、従来のソーラーシミュレーターのインテグレーター、コリメーターレンズ、反射鏡を不要とすることができ、安価で構造が簡単なソーラーシミュレーターを得ることができる。
【００８１】
従来のソーラーシミュレーターの反射鏡を不要にできることにより、光量の低下が少なくなり、キセノンショートアークランプに印加する電力を小さくすることができ、キセノンショートアークランプの寿命を長くすることができる。さらに、反射鏡の交換に伴ってキセノンショートアークランプの取り外し、光軸の再調整などの作業が発生せず、メンテナンスが容易なソーラーシミュレーターを得ることができる。
【００８２】
次に、図５に本発明の他の実施形態のソーラーシミュレーター１１を示す。図５において理解を容易にするために、図１と同一の部分は図１と同一の符号を付す。
【００８３】
この実施形態のソーラーシミュレーター１１は、集光鏡３がキセノンショートアークランプ２からの光を集光して上方に照射し、光ファイバー束導光部材６はコの字形または逆Ｕ字形に湾曲し、集光鏡３からの光を入射させてキセノンショートアークランプ２と集光鏡３の横に水平方向に配置された光ファイバーレンズ束７に導く。光ファイバーレンズ束７は光ファイバー束導光部材６の光ファイバー９の光を平行な光にして照射面１０に照射する。
【００８４】
この実施形態のソーラーシミュレーター１１によれば、装置全体の横方向の寸法を小さくすることができる。
【００８５】
また、光ファイバーレンズ束７の各光ファイバーレンズ８は、短い距離で平行光を照射することができるので、図５に示す光ファイバーレンズ束７と照射面１０の間の距離Ｄを小さくすることができ、これにより装置全体の縦方向の寸法も小さくすることができる。
【００８６】
すなわち、本実施形態によれば、従来のソーラーシミュレーターと同一の機能を持ちながら、小型の装置を得ることができる。
【００８７】
図７に本発明の光ファイバー束導光部材と各光ファイバーレンズとの結合の概略図を示す。格子状案内固定具は、各光ファイバー束導光部材が上部から差し込まれると、光軸に垂直な面の位置を固定する。一方、前記格子状案内固定具の内部は、光ファイバー束導光部材を固定している面の外側にねじを切った壁面を有する。このため、前記格子状案内固定具のメスねじに固定された各光ファイバー束導光部材の光ファイバー光軸距離調整用ねじを回転させることで、光ファイバー束導光部材の光軸方向の位置を微調整することができる。これにより、光ファイバーレンズの焦点から光ファイバー出射面までの距離を光軸方向に微調整し、放射照度を各光ファイバーごとに微調整することができる。
【００８８】
図８に本発明の光ファイバー束導光部材と各光ファイバーレンズを結合させる、格子状案内固定具の詳細図を示す。
【００８９】
図９に、本発明の格子状案内固定具の詳細を示す。各光ファイバーは、まず光ファイバー光軸距離調整用ねじにはめ込み、その状態で同ねじを格子状案内固定具内のメスねじガイドに挿入し、回転させると、その回転量に応じて、各光ファイバーの光軸距離を調整できる。
【符号の説明】
【００９０】
１  ソーラーシミュレーター
２  キセノンショートアークランプ
３  集光鏡
４  シャッター
５  分光分布補正フィルター
６  光ファイバー束導光部材
７  光ファイバーレンズ束
８  光ファイバーレンズ
９  光ファイバー
１０  照射面
１１  ソーラーシミュレーター
５０  ソーラーシミュレーター
５１  キセノンショートアークランプ
５２  集光鏡
５３  第一反射鏡
５４  分光分布補正フィルター
５５  シャッター
５６  インテグレーター
５７  第二反射鏡
５８  コリメーターレンズ
５９  基台
６０  フレーム
Ｄ  光ファイバーレンズと被測定太陽電池の間の距離
Ｌ  光ファイバーレンズの光ファイバーレンズ長
Ｐ  光が光ファイバーレンズ内を進むピッチ長
【図１】
2012094248.tif 000003
【図２】
2012094248.tif 000004
【図３】
2012094248.tif 000005
【図５】
2012094248.tif 000006
【図６】
2012094248.tif 000007
【図７】
2012094248.tif 000008
【図８】
2012094248.tif 000009
【図９】
2012094248.tif 000010
【図１０】
2012094248.tif 000011
【図１１】
2012094248.tif 000012
【図４】
2012094248.tif 000013